(57)【要約】【課題】映像信号に対するアップコンバート処理の実行を制御する映像処理装置を実現する。【解決手段】映像処理装置は、ＤＶＤレコーダ１１とデジタルテレビジョン受信機１２とから構成される。ＤＶＤレコーダ１１は、再生する映像信号（映像ソース）の解像度と、デジタルテレビジョン受信機１２への映像信号の伝送に規定された解像度との差に基づき、映像ソースを構成する映像フレーム１１１の右端に帯状の黒画素群を挿入して、伝送に規定された解像度の映像フレーム１１３へ変換し、これをデジタルテレビジョン受信機１２へ送信する。デジタルテレビジョン受信機１２は、映像フレーム１１３から挿入した黒画素群を除いた部分に対してアップコンバート処理を施し、映像フレーム１２１を取得する。これにより、デジタルテレビジョン受信機１２に設けられたアップコンバート処理を施した映像信号が得られ、この映像信号に基づく映像が画面に表示される。【選択図】図２
2010087871.tif 000002
【特許請求の範囲】
【請求項１】
所定の輝度値が設定された画素を挿入することにより、第１解像度の映像信号を前記第１解像度よりも高い第２解像度の映像信号へ変換する機能を有する外部装置に接続され得る映像処理装置であって、
前記外部装置から供給された前記第２解像度の映像信号において、前記外部装置により挿入された画素を除いた領域に対してアップコンバート処理を実行するアップコンバート手段を具備することを特徴とする映像処理装置。
【請求項２】
第１解像度よりも高い第２解像度の映像信号を出力する第１の映像入出力機器と前記第２解像度の映像信号が入力される第２の映像入出力機器とを備える映像処理装置であって、
前記第１の映像入出力機器は、
所定の輝度値が設定された画素を挿入することにより、前記第１解像度の映像信号を前記第２解像度の映像信号へ変換する画素挿入手段と、
前記第２解像度の映像信号を前記第２の映像入出力機器へ送信する送信手段とを具備し、
前記第２の映像入出力機器は、
前記第２解像度の映像信号を前記第１の映像入出力機器から受信する受信手段と、
前記第２解像度の映像信号のうち、前記画素挿入手段により挿入された画素を除いた領域に対してアップコンバート処理を実行するアップコンバート手段とを具備することを特徴とする映像処理装置。
【請求項３】
前記アップコンバート手段は、超解像機能を有することを特徴とする請求項１又は請求項２記載の映像処理装置。
【請求項４】
前記送信手段は、前記第１解像度、及び前記所定の輝度値のうち少なくともいずれか一つの値を示す情報を前記第２の映像入出力機器へ送信し、
前記受信手段は、前記第１解像度、及び前記所定の輝度値のうち少なくともいずれか一つの値を示す情報を前記第１の映像入出力機器から受信することを特徴とする請求項２記載の映像処理装置。
【請求項５】
前記第１解像度及び前記第２解像度の値を示す情報、並びに前記アップコンバート処理が実行された旨を提示する情報のうち、少なくともいずれか一つを画面に表示する手段をさらに具備することを特徴とする請求項１又は請求項２記載の映像処理装置。
【請求項６】
所定の輝度値が設定された画素を挿入することにより、第１解像度の映像信号を前記第１解像度よりも高い第２解像度の映像信号へ変換する機能を有する外部装置に接続され得る映像処理装置の映像処理方法であって、
前記外部装置から供給された前記第２解像度の映像信号において、前記外部装置により挿入された画素を除いた領域に対してアップコンバート処理を実行するアップコンバートステップを具備することを特徴とする映像処理方法。
【請求項７】
表示装置に接続可能である映像処理装置であって、
入力映像信号の解像度を増加して出力するアップコンバート手段と、
所定の輝度値が設定された画素を挿入することにより、第１解像度の映像信号を前記第１解像度よりも高い第２解像度の映像信号へ変換する画素挿入手段と、
前記表示装置がアップコンバート機能を有する場合は、前記アップコンバート手段を動作させずに、前記画素挿入手段を動作させる制御手段とを具備することを特徴とする映像処理装置。
【請求項８】
アップコンバート処理を実行する機能を有する映像処理装置であって、
所定の輝度値が設定された画素を挿入することにより、第１解像度の映像信号を前記第１解像度よりも高い第２解像度の映像信号へ変換する画素挿入手段と、
前記アップコンバート処理、又は前記画素挿入手段による処理のいずれかを実行するための制御を行う制御手段とを具備することを特徴とする映像処理装置。
【発明の詳細な説明】
【技術分野】
【０００１】
本発明は、アップコンバート機能を有する映像処理装置及び映像処理方法に関する。
【背景技術】
【０００２】
現在、映像入出力機器や放送に用いられる映像信号には、その多様化により様々なフォーマットの混在が見られる。例えば、ＢＳデジタル放送等に用いられる解像度１９２０×１０８０の映像信号及び地上デジタル放送等に用いられる解像度１４４０×１０８０の映像信号等のＨＤ（High Definition）画質、並びにＤＶＤやアナログ放送等に用いられるＳＤ（Standard Definition）画質等が挙げられる。このため、ＤＶＤレコーダ等の映像記録再生機器とデジタルテレビジョン受信機等の映像表示機器とを接続した場合には、装置間の伝送規格及び映像表示機器の解像度等に合わせた映像信号の変換が必要となる。
【０００３】
例えばＤＶＤレコーダは、このような様々なフォーマットによる映像信号に対して、伝送規格に合わせたアップコンバート処理を施し、デジタルテレビジョン受信機へ出力している。一方、デジタルテレビジョン受信機もアップコンバート処理を実行する機能を有し、さらには超解像化機能によるアップコンバート処理を備えるものもある。超解像化機能は、画素と画素との間に新しい画素値データを生成し、高い周波数成分を創造し、鮮鋭化することで、画像の元の解像度を超える画像を生成する。具体的には、例えば、ＤＶＤやアナログ放送に用いられるＳＤ画質による映像信号に対して画素を補間し、ＨＤ画質による映像信号への変換が施される。
【０００４】
特許文献１には、ＳＤ画質による映像信号に対して、その左右の端部にマスク部分を挿入することでＨＤ画質の解像度へ変換した映像信号を検出し、このＨＤ画質による映像信号から左右端部のマスク部分を除いたＳＤ画質による映像信号の部分（有効映像）を、ＨＤ画質による映像信号へアップコンバートして出力するＨＤＴＶ表示装置が開示されている。
【特許文献１】特開２００６−２８７５０６号公報
【発明の開示】
【発明が解決しようとする課題】
【０００５】
特許文献１のＨＤＴＶ表示装置は、上述のように、ＳＤ画質による映像信号にマスク部分を挿入した映像信号を検出し、アップコンバート処理を実行する機能を有する。しかし、ＨＤＴＶ表示装置へ入力される映像信号に対して既にアップコンバート処理が施されている場合には、ＨＤＴＶ表示装置はアップコンバート処理を実行しない。したがって、このような場合には、ＨＤＴＶ表示装置に設けられたアップコンバート処理の機能を利用することができない。このため、映像信号の処理に際して、複数の段階にアップコンバート処理が設けられている場合に、所望の段階におけるアップコンバート処理を実行するための制御を行う必要がある。
【０００６】
本発明は上述の事情を考慮してなされたものであり、映像信号に対するアップコンバート処理の実行を制御する映像処理装置及び映像処理方法を提供することを目的とする。
【課題を解決するための手段】
【０００７】
以上の課題を解決するため、本発明の一つの態様に係る映像処理装置は、所定の輝度値が設定された画素を挿入することにより、第１解像度の映像信号を前記第１解像度よりも高い第２解像度の映像信号へ変換する機能を有する外部装置に接続され得る映像処理装置であって、前記外部装置から供給された前記第２解像度の映像信号において、前記外部装置により挿入された画素を除いた領域に対してアップコンバート処理を実行するアップコンバート手段を具備することを特徴とする。
【０００８】
本発明の他の態様に係る映像処理方法は、所定の輝度値が設定された画素を挿入することにより、第１解像度の映像信号を前記第１解像度よりも高い第２解像度の映像信号へ変換する機能を有する外部装置に接続され得る映像処理装置の映像処理方法であって、前記外部装置から供給された前記第２解像度の映像信号において、前記外部装置により挿入された画素を除いた領域に対してアップコンバート処理を実行するアップコンバートステップを具備することを特徴とする。
【発明の効果】
【０００９】
本発明によれば、映像信号に対するアップコンバート処理の実行を制御できる。
【発明を実施するための最良の形態】
【００１０】
以下、図面を参照して本発明の実施形態を説明する。
【００１１】
まず、図１を参照して、通常の映像処理装置における映像信号のアップコンバート処理の流れを説明する。
【００１２】
この映像処理装置は、例えば、ＤＶＤレコーダ等の映像記録再生装置、セットトップボックス、デジタルテレビジョン受信機等の映像表示装置、又はこれらの組み合わせとして実現される。図１では映像処理装置が、ＤＶＤレコーダ１１とデジタルテレビジョン受信機１２とから構成される例を示す。ここでは、ＤＶＤレコーダ１１において、解像度１４４０×１０８０である映像信号を再生し、デジタルテレビジョン受信機１２において、解像度１９２０×１０８０である映像信号を表示するものとする。
【００１３】
ＤＶＤレコーダ１１とデジタルテレビジョン受信機１２とは、例えば、ＨＤＭＩ（High Definition Multimedia Interface）規格に準拠したインタフェース（以下、ＨＤＭＩインタフェースという）により接続される。このＨＤＭＩインタフェースにより、映像信号の通信を行う。また、ＨＤＭＩ規格は、さらにその中でＣＥＣ（Consumer Electronics Control）規格を規定している。したがって、ＨＤＭＩインタフェースは、ＣＥＣに準拠した制御情報等の双方向通信手段を内包する。なおここでは、ＤＶＤレコーダ１１からデジタルテレビジョン受信機１２に対して、解像度１９２０×１０８０である映像信号を送信することが規定されているものとする。
【００１４】
まず、ＤＶＤレコーダ１１は、例えば、録画した地上デジタル放送のコンテンツを再生する。映像ソースである地上デジタル放送のコンテンツの解像度は、映像フレーム１１１に示すように１４４０×１０８０である。ＤＶＤレコーダ１１は、デジタルテレビジョン受信機１２に対し解像度１９２０×１０８０の映像信号を送信するため、映像フレーム１１１に対してアップコンバート処理を実行し、解像度１９２０×１０８０である映像フレーム１１２に変換する。ＤＶＤレコーダ１１は、この映像フレーム１１２をデジタルテレビジョン受信機１２へ送信する。
【００１５】
デジタルテレビジョン受信機１２は、ＤＶＤレコーダ１１から受信した映像フレーム１１２に基づき、画面に映像を表示する。
【００１６】
以上の処理により、ＤＶＤレコーダ１１において、解像度１４４０×１０８０である映像信号（映像ソース）に対してアップコンバート処理を施して、デジタルテレビジョン受信機１２へ送信し、デジタルテレビジョン受信機１２において、解像度１９２０×１０８０である画面に映像を表示することができる。
【００１７】
しかしながら、この方法では、デジタルテレビジョン受信機１２がアップコンバート処理を実行する機能を備えている場合でも、ＤＶＤレコーダ１１において映像信号に対するアップコンバート処理が施されているために、デジタルテレビジョン受信機１２におけるアップコンバート処理は実行されない。このため、デジタルテレビジョン受信機１２に設けられたアップコンバート処理が、ＤＶＤレコーダ１１に設けられたアップコンバート処理よりもデジタルテレビジョン受信機１２での表示に適した処理である場合や、超解像機能等を備えたより高機能な処理である場合等に、映像信号に対して最適なアップコンバート処理を施すことができない可能性がある。
【００１８】
そこで本実施形態の映像処理装置は、ＤＶＤレコーダ１１に設けられたアップコンバート処理は実行せずにデジタルテレビジョン受信機１２に設けられたアップコンバート処理を実行することができるための制御を行う。しかし、ＤＶＤレコーダ１１の再生コンテンツの解像度は１４４０×１０８０であり、装置間の伝送規格に規定された解像度ではない。したがって、映像ソースによる映像信号をＤＶＤレコーダ１１からデジタルテレビジョン受信機１２へ伝送するためには、ＤＶＤレコーダ１１は映像信号に対するアップコンバート処理を施す代わりに、該映像信号を伝送に規定された解像度の映像信号へ変換するための代替の処理が必要となる。
【００１９】
図２は、本発明の一実施形態に係る映像処理装置における映像信号のアップコンバート処理の流れを示している。映像処理装置の構成、構成する機器間の接続、ＤＶＤレコーダ１１で再生する映像ソースの解像度、及び機器間で送受信する映像信号の解像度等は、図１の説明で述べた通りである。
【００２０】
本実施形態において、ＤＶＤレコーダ１１は、例えば、録画した地上デジタル放送のコンテンツを再生する。映像ソースである地上デジタル放送のコンテンツの解像度は、映像フレーム１１１に示すように１４４０×１０８０である。ＤＶＤレコーダ１１は、デジタルテレビジョン受信機１２に対し伝送に規定された解像度１９２０×１０８０の映像信号を送信するため、解像度１４４０×１０８０の映像フレーム１１１の右端に帯状の黒画素（輝度値が０である画素）群を挿入し、映像フレーム１１３を生成する。つまり、ＤＶＤレコーダ１１は、解像度４８０×１０８０である帯状の黒画素群を解像度１４４０×１０８０の映像フレーム１１１の右端に挿入し、解像度１９２０×１０８０の映像フレーム１１３を生成する。
【００２１】
なおここでは、映像フレーム１１１の右端に帯状の黒画素群を挿入したが、左端に挿入する、左右に均等に挿入する等、解像度１９２０×１０８０の映像フレーム１１３となるように黒画素群を挿入する方法であれば、いずれの方法を用いてもよい。
【００２２】
ＤＶＤレコーダ１１は、この映像フレーム１１３をデジタルテレビジョン受信機１２へ送信する。
【００２３】
デジタルテレビジョン受信機１２は、ＤＶＤレコーダ１１から映像フレーム１１３を受信する。デジタルテレビジョン受信機１２は、映像フレーム１１３からＤＶＤレコーダ１１において挿入された黒画素群を除いた部分、すなわち、元の映像フレーム１１１に対応する部分（解像度１４４０×１０８０）に対してアップコンバート処理を施し、解像度１９２０×１０８０である映像フレーム１２１を得る。
【００２４】
以上の処理により、元の映像信号に対してＤＶＤレコーダ１１に設けられたアップコンバート処理ではなくデジタルテレビジョン受信機１２に設けられたアップコンバート処理を施すことができる。これは例えば、デジタルテレビジョン受信機１２に設けられたアップコンバート処理が、ＤＶＤレコーダ１１に設けられたアップコンバート処理よりもデジタルテレビジョン受信機１２での映像の表示に適している場合や、超解像機能等の高機能な処理をさらに備える場合に適した方法といえる。
【００２５】
なお、超解像機能による超解像処理は、第１解像度である低解像度の画像信号から本来の画素値を推定して画素を増やすことにより、第２解像度である高解像度の画像信号を復元する鮮鋭化処理を行う。ここで、「本来の画素値」とは、例えば、低解像度（第１解像度）の画像信号を得たときと同じ被写体を、高解像度（第２解像度）のカメラで撮像したときに得られる画像信号の各画素が示す値をいう。また、「推定して画素を増やす」とは、対象とする画像の特徴を捉えて、同一フレーム内、またはフレーム間において相関の高い画像から、本来の画素値を推定して、新たな画素に対応付ける画素値とすることを意味する。つまり、画像の相関性を利用する。なお、超解像処理は、例えば、特開２００７−３１０８３７号公報、特開２００８−９８８０３号公報や特開２０００−１８８６８０号公報等に開示された公知・公用の技術を用いることが可能である。本実施形態の超解像処理の技術としては、例えば、入力画像の標本化周期で決まるナイキスト周波数より高い周波数成分を有する画像を復元する技術を用いることができる。
【００２６】
例えば、特開２００７−３１０８３７号公報に開示された超解像処理を用いる場合には、複数の中解像度フレームのそれぞれに対してフレーム中の注目画素を含む注目画像領域中の画素値の変化パターンに最も近い複数の注目画像領域に対応する複数の対応点を基準フレームの中から選択し、対応点での輝度の標本値を対応点に対応している注目画素の画素値に設定し、複数の標本値の大きさと、複数の対応点の配置とに基づいて、基準フレームの画素数よりも多い画素数の高解像度フレームであって基準フレームに対応する高解像度フレームの画素値を算出することにより、低解像度の画像信号から本来の画素値を推定して画素を増やすことにより、高解像度の画像信号を復元する。
【００２７】
また、特開２００８−９８８０３号公報に開示された同一フレーム画像内の自己合同位置探索を利用した超解像処理を用いる場合には、中解像度フレームの探索領域の各画素の誤差を比較して最小となる第１の画素位置を算出し、第１の画素位置、およびこの第１の誤差、第１の画素の周辺の第２の画素位置、およびこの第２の誤差に基づいて、探索領域のなかで誤差が最小となる位置を小数精度で算出する。そして、この位置を終点、および注目画素を始点とする小数精度ベクトルを算出し、小数精度ベクトルを用いて、探索領域に含まれない画面上の画素を終点とする、小数精度ベクトルの外挿ベクトルを算出する。そして、小数精度ベクトル、外挿ベクトル、および画像信号から取得された画素値に基づいて、画像信号に含まれる画素数よりも多い画素数の高解像度画像の画素値を算出する。超解像処理は、このような処理を行うことにより、低解像度の画像信号から本来の画素値を推定して画素を増やすことにより、高解像度の画像信号を復元する。
【００２８】
また、特開２０００−１８８６８０号公報に開示された複数フレーム画像間でのマッピングを利用した超解像処理を用いることもできる。
【００２９】
また、本実施形態における超解像処理では、引き伸ばした映像に独自のアルゴリズムを加えることで一度低解像度映像に変換、さらにその映像をオリジナルの入力映像と比較して差分を検出して更に補正処理を施すことで、高画質処理がされてもよい。
【００３０】
ただし、超解像処理における超解像処理の手法は、上記に限定されるものではなく、低解像度の画像信号から本来の画素値を推定して画素を増やすことにより、高解像度の画像信号を復元する処理であれば、あらゆる手法を適用することができる。
【００３１】
なお、上述の説明では、解像度１４４０×１０８０である映像信号を解像度１９２０×１０８０である映像信号にアップコンバートする場合について述べたが、各映像信号は上記の解像度に限定されるものではなく、ＤＶＤレコーダ１１において再生する映像信号の解像度がデジタルテレビジョン受信機１２において表示する映像信号の解像度よりも小さい場合であれば、上述の方法を適用できる。その場合、ＤＶＤレコーダ１１における映像フレーム１１１の解像度と、デジタルテレビジョン受信機１２における映像フレーム１２２の解像度、及びＤＶＤレコーダ１１からデジタルテレビジョン受信機１２への映像信号の伝送に規定された解像度との関係によって、ＤＶＤレコーダ１１における黒画素の挿入方法が変更される。例えば、上述の左端又は右端に帯状の黒画素群を挿入する方法だけでなく、必要に応じて、上端又は下端に帯状の黒画素群を挿入する方法も用いられる。また、ＤＶＤレコーダ１１における映像フレーム１１１の解像度と、映像信号の伝送に規定された解像度とが一致すれば、黒画素群を挿入せずに、映像フレーム１１１をＤＶＤレコーダ１１からデジタルテレビジョン受信機１２へそのまま送信する。
【００３２】
なお、挿入する帯状の画素群を構成する画素は、上述の黒画素（輝度値が０の画素）に限らず、ＤＶＤレコーダ１１とデジタルテレビジョン受信機１２との間で予め定める所定の輝度値の画素としてもよい。さらに、挿入する画素に設定する輝度値は予め定める輝度値に限らず、いずれかの機器で決定し、ＨＤＭＩインタフェースのＣＥＣ等を用いて他方の機器へ送信することで、所定の輝度値をＤＶＤレコーダ１１とデジタルテレビジョン受信機１２との間で定めてもよい。
【００３３】
図３は、本実施形態の映像処理装置における映像信号のアップコンバート処理の動作を示すフローチャートである。ここでも図２と同様に、映像処理装置は、映像出力機器であるＤＶＤレコーダ１１と、映像を表示するデジタルテレビジョン受信機１２とからなるものとする。本実施形態では、上述したように、ＤＶＤレコーダ１１とデジタルテレビジョン受信機１２はともにアップコンバート処理機能を有しているが、ＤＶＤレコーダ１１ではアップコンバート処理を実行せずに、デジタルテレビジョン受信機１２においてアップコンバート処理を実行する。
【００３４】
まず、ＤＶＤレコーダ１１とデジタルテレビジョン受信機１２とはそれぞれ、双方の機器がアップコンバート処理の実行を制御する機能を有するかどうかを調べる（ステップＳ１０１）。ステップＳ１０１では、例えば、ＤＶＤレコーダ１１がテレビジョン受信機１２へアップコンバート処理の実行を制御する機能を有するか否かの情報を通知し、テレビジョン受信機１２がＤＶＤレコーダ１２へアップコンバート処理の実行を制御する機能を有するか否かの情報を通知することで、それぞれの機器において、双方の機器が該機能を有するかどうかを判定する。ＤＶＤレコーダ１１とデジタルテレビジョン受信機１２とが共にアップコンバート処理の実行を制御する機能を有する場合（ステップＳ１０１のＹＥＳ）、ＤＶＤレコーダ１１は、アップコンバート機能を「ＴＶ優先モード」に設定する（ステップＳ１０２）。アップコンバート機能を「ＴＶ優先モード」に設定することで、ＤＶＤレコーダ１１は、アップコンバート処理を実行せず、デジタルテレビジョン受信機１２においてアップコンバート処理を実行するための処理を以降で行う。
【００３５】
ＤＶＤレコーダ１１は、再生する映像（映像ソース）の解像度を判定し、映像信号が伝送に規定された解像度になるように黒画素群を挿入する（ステップＳ１０３）。この処理では、映像ソースの解像度と伝送に規定された解像度との差に基づき、例えば、映像ソースを構成する各映像フレームの右端に帯状の黒画素群を挿入して、伝送に規定された解像度である映像フレームへ変換する。
【００３６】
ＤＶＤレコーダ１１は、この黒画素群を挿入した映像信号及び解像度に関する情報を、デジタルテレビジョン受信機１２へ送信する（ステップＳ１０４）。解像度に関する情報としては、映像ソースの解像度の値を送信する。この情報により、デジタルテレビジョン受信機１２は黒画素群を挿入した映像信号から元の映像信号（映像ソース）を容易に取り出すことができる。なお、解像度に関する情報として、黒画素群が挿入された映像信号の解像度（伝送に規定された解像度）、並びに挿入した帯状の黒画素群の大きさ及び挿入位置等を送信してもよい。また、黒画素群ではなく、所定の輝度値が設定された画素群を挿入する場合には、この輝度値の情報を送信してもよい。
【００３７】
デジタルテレビジョン受信機１２は、ＤＶＤレコーダ１１から受信した映像信号から、挿入した黒画素群を除いた元の画素の部分に対してアップコンバート処理を実行することで、画面の解像度に合わせて変換した映像を画面に出力する（ステップＳ１０５）。
【００３８】
ＤＶＤレコーダ１１とデジタルテレビジョン受信機１２の少なくともいずれか一方が、アップコンバート処理の実行を制御する機能を持たない場合（ステップＳ１０１のＮＯ）、処理を終了する。
【００３９】
以上の処理により、ＤＶＤレコーダ１１において再生した映像信号に対して、ＤＶＤレコーダ１１に設けられたアップコンバート処理を実行せず、デジタルテレビジョン受信機１２に設けられたアップコンバート処理を施すことができる。これは、上述したように、デジタルテレビジョン受信機１２に設けられたアップコンバート処理が、ＤＶＤレコーダ１１に設けられたアップコンバート処理よりも、デジタルテレビジョン受信機１２での映像の表示に適している場合や、超解像機能等の高機能な処理をさらに備える場合に有用といえる。
【００４０】
なお、ステップＳ１０４において、ＤＶＤレコーダ１１からデジタルテレビジョン受信機１２へ解像度の情報を送信せず、ステップＳ１０５において、デジタルテレビジョン受信機１２に、挿入した黒画素群を除く元の映像信号を取得する手段を持たせてもよい。すなわち、デジタルテレビジョン受信機１２は、ステップＳ１０５において、ＤＶＤレコーダ１１から受信した映像信号から、ＤＶＤレコーダ１１で挿入された黒画素群を検出し、黒画素群を除いた元の映像信号を取得する。そして、デジタルテレビジョン受信機１２は、この元の映像信号に対してアップコンバート処理を施す。
【００４１】
また、映像信号に対してデジタルテレビジョン受像機１２においてアップコンバート処理が施されていることを示す情報、映像ソースの解像度、及びアップコンバートされた映像信号の解像度等を、デジタルテレビジョン受信機１２の画面等を介してユーザへ提示してもよい。
【００４２】
以上説明したように、本実施形態によれば、映像信号に対して、所定の映像処理装置以外の装置ではアップコンバート処理を実行しないように制御することができる。所定の映像処理装置がデジタルテレビジョン受像機１２等の映像受信側の機器である場合は、ＤＶＤレコーダ１１等の映像送信側の映像処理装置がアップコンバート処理の代わりに映像信号を装置間で伝送するために必要な代替の処理を施すことにより、所定の機器におけるアップコンバート処理を実行することができる。特に、元の映像信号（映像ソース）の解像度よりも伝送に規定された解像度が大きい場合には、これらの差に基づき、元の映像信号の端部に帯状の黒画素群を挿入して、伝送に規定された解像度の映像へ変換する処理を、上記の代替の処理とする。
【００４３】
したがって、本実施形態の映像処理装置は、映像信号に対してアップコンバート処理を実行する機能、及び該アップコンバート処理のための前処理を実行する機能を備えればよい。
【００４４】
また本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素からいくつかの構成要素を削除してもよい。さらに、異なる実施形態にわたる構成要素を適宜組み合わせてもよい。
【図面の簡単な説明】
【００４５】
【図１】通常の映像処理装置によるアップコンバート処理を説明する図。
【図２】本発明の一実施形態に係る映像処理装置によるアップコンバート処理を説明する図。
【図３】同実施形態の映像処理装置によって実行されるアップコンバート処理の動作を説明するフローチャート。
【符号の説明】
【００４６】
１１…ＤＶＤレコーダ、１２…デジタルテレビジョン受信機、１１１…映像フレーム、１１３…映像フレーム、１２１…映像フレーム。
【図１】
2010087871.tif 000003
【図２】
2010087871.tif 000004
【図３】
2010087871.tif 000005
【手続補正書】
【提出日】平成21年8月21日(2009.8.21)
【手続補正１】
【補正対象書類名】特許請求の範囲
【補正対象項目名】全文
【補正方法】変更
【補正の内容】
【特許請求の範囲】
【請求項１】
所定の輝度値が設定された画素を挿入することにより、第１解像度の映像信号を前記第１解像度よりも高い第２解像度の映像信号へ変換する機能を有する外部装置に接続され得る映像処理装置であって、
前記外部装置から供給された前記第２解像度の映像信号において、前記外部装置により挿入された画素を除くことによって抽出された領域に対してアップコンバート処理を実行するアップコンバート手段を具備することを特徴とする映像処理装置。
【請求項２】
第１解像度よりも高い第２解像度の映像信号を出力する第１の映像入出力機器と前記第２解像度の映像信号が入力される第２の映像入出力機器とを備える映像処理装置であって、
前記第１の映像入出力機器は、
所定の輝度値が設定された画素を挿入することにより、前記第１解像度の映像信号を前記第２解像度の映像信号へ変換する画素挿入手段と、
前記第２解像度の映像信号を前記第２の映像入出力機器へ送信する送信手段とを具備し、
前記第２の映像入出力機器は、
前記第２解像度の映像信号を前記第１の映像入出力機器から受信する受信手段と、
前記第２解像度の映像信号のうち、前記画素挿入手段により挿入された画素を除いた領域に対してアップコンバート処理を実行するアップコンバート手段とを具備することを特徴とする映像処理装置。
【請求項３】
前記アップコンバート手段は、超解像処理を実行することを特徴とする請求項１又は請求項２記載の映像処理装置。
【請求項４】
前記送信手段は、前記第１解像度、及び前記所定の輝度値のうち少なくともいずれか一つの値を示す情報を前記第２の映像入出力機器へ送信し、
前記受信手段は、前記第１解像度、及び前記所定の輝度値のうち少なくともいずれか一つの値を示す情報を前記第１の映像入出力機器から受信することを特徴とする請求項２記載の映像処理装置。
【請求項５】
前記第１解像度及び前記第２解像度の値を示す情報、並びに前記アップコンバート処理が実行されたことを示すメッセージを提示する情報のうち、少なくとも一つを画面に表示する表示ユニットをさらに具備することを特徴とする請求項１又は請求項２記載の映像処理装置。
【請求項６】
所定の輝度値が設定された画素を挿入することにより、第１解像度の映像信号を前記第１解像度よりも高い第２解像度の映像信号へ変換する機能を有する外部装置に接続され得る映像処理装置の映像処理方法であって、
前記外部装置から供給された前記第２解像度の映像信号において、前記外部装置により挿入された画素を除くことによって抽出された領域に対してアップコンバート処理を実行することを具備することを特徴とする映像処理方法。
【請求項７】
表示装置に接続可能である映像処理装置であって、
入力映像信号の解像度を増加して、前記増加した解像度を備える入力映像信号を出力するアップコンバート手段と、
所定の輝度値が設定された画素を挿入することにより、第１解像度の映像信号を前記第１解像度よりも高い第２解像度の映像信号へ変換する画素挿入手段と、
前記表示装置がアップコンバート機能を有する場合は、前記アップコンバート手段を動作させずに、前記画素挿入手段を動作させる制御手段とを具備することを特徴とする映像処理装置。
【請求項８】
アップコンバート処理を実行する機能を有する映像処理装置であって、
所定の輝度値が設定された画素を挿入することにより、第１解像度の映像信号を前記第１解像度よりも高い第２解像度の映像信号へ変換する画素挿入手段と、
前記アップコンバート処理、又は前記画素挿入手段による処理のいずれかを実行するための制御を行う制御手段とを具備することを特徴とする映像処理装置。
【手続補正２】
【補正対象書類名】明細書
【補正対象項目名】０００７
【補正方法】変更
【補正の内容】
【０００７】
以上の課題を解決するため、本発明の一つの態様に係る映像処理装置は、所定の輝度値が設定された画素を挿入することにより、第１解像度の映像信号を前記第１解像度よりも高い第２解像度の映像信号へ変換する機能を有する外部装置に接続され得る映像処理装置であって、前記外部装置から供給された前記第２解像度の映像信号において、前記外部装置により挿入された画素を除くことによって抽出された領域に対してアップコンバート処理を実行するアップコンバート手段を具備することを特徴とする。
【手続補正３】
【補正対象書類名】明細書
【補正対象項目名】０００８
【補正方法】変更
【補正の内容】
【０００８】
本発明の他の態様に係る映像処理方法は、所定の輝度値が設定された画素を挿入することにより、第１解像度の映像信号を前記第１解像度よりも高い第２解像度の映像信号へ変換する機能を有する外部装置に接続され得る映像処理装置の映像処理方法であって、前記外部装置から供給された前記第２解像度の映像信号において、前記外部装置により挿入された画素を除くことによって抽出された領域に対してアップコンバート処理を実行することを具備することを特徴とする。
【手続補正書】
【提出日】平成21年11月30日(2009.11.30)
【手続補正１】
【補正対象書類名】特許請求の範囲
【補正対象項目名】全文
【補正方法】変更
【補正の内容】
【特許請求の範囲】
【請求項１】
外部装置に接続され得る映像処理装置であって、
前記外部装置は、所定の輝度値が設定された画素群を挿入することにより、第１解像度の映像信号を前記映像処理装置と前記外部装置との間の伝送規格に規定された第２解像度の映像信号へ変換する機能を有し、
前記第２解像度の映像信号を前記外部装置から受信する受信手段と、
前記受信手段によって受信した前記第２解像度の映像信号において、前記外部装置により挿入された画素群を除くことによって、前記第２解像度の映像信号から前記第１解像度の映像信号を抽出し、前記第１解像度の映像信号に対してアップコンバート処理を施すアップコンバート手段とを具備することを特徴とする映像処理装置。
【請求項２】
前記受信手段は、前記第１解像度を示す情報も前記外部装置から受信し、
前記アップコンバート手段は、前記第１解像度を示す情報に基づいて、前記外部装置により挿入された画素群を除くことを特徴とする請求項１記載の映像処理装置。
【請求項３】
前記受信手段は、前記所定の輝度値を示す情報も前記外部装置から受信し、
前記アップコンバート手段は、前記所定の輝度値を示す情報に基づいて、前記外部装置により挿入された画素群を除くことを特徴とする請求項１記載の映像処理装置。
【請求項４】
前記第１解像度及び前記第２解像度の値を示す情報、並びに前記アップコンバート処理が施されたことを示すメッセージを提示する情報のうち、少なくとも一つを画面に表示する表示ユニットをさらに具備することを特徴とする請求項１記載の映像処理装置。
【請求項５】
前記アップコンバート手段は、前記第１解像度の映像信号に対して超解像処理を施すことを特徴とする請求項１記載の映像処理装置。
【請求項６】
前記アップコンバート手段は、前記第１解像度の映像信号に対して、前記第１解像度の映像信号から前記第１解像度よりも高い、前記第２解像度と同じ解像度の映像信号にアップコンバートする処理を施すことを特徴とする請求項１記載の映像処理装置。
【請求項７】
外部装置から入力される映像信号をアップコンバートする映像処理装置における映像処理方法であって、
前記外部装置は、所定の輝度値が設定された画素群を挿入することにより、第１解像度の映像信号を前記映像処理装置と前記外部装置との間の伝送規格に規定された第２解像度の映像信号へ変換する機能を有し、
前記第２解像度の映像信号を前記外部装置から受信することと、
前記受信することにおいて受信した前記第２解像度の映像信号において、前記外部装置により挿入された画素群を除くことによって、前記第２解像度の映像信号から前記第１解像度の映像信号を抽出し、前記第１解像度の映像信号に対してアップコンバート処理を施すこととを具備することを特徴とする映像処理方法。
【請求項８】
映像表示装置に接続可能である映像処理装置であって、
入力映像信号の解像度を増加して、前記増加した解像度を備える入力映像信号を出力するアップコンバート手段と、
所定の輝度値が設定された画素を挿入することにより、第１解像度の映像信号を前記映像表示装置と前記映像処理装置との間の伝送規格に規定された第２解像度の映像信号へ変換する画素挿入手段と、
前記映像表示装置がアップコンバート機能を有するか否かを判定する判定手段と、
前記判定手段によって前記映像表示装置がアップコンバート機能を有すると判定された場合、前記アップコンバート手段を動作させずに、前記画素挿入手段を動作させる制御手段とを具備することを特徴とする映像処理装置。
【手続補正２】
【補正対象書類名】明細書
【補正対象項目名】０００７
【補正方法】変更
【補正の内容】
【０００７】
以上の課題を解決するため、本発明の一つの態様に係る映像処理装置は、外部装置に接続され得る映像処理装置であって、前記外部装置は、所定の輝度値が設定された画素群を挿入することにより、第１解像度の映像信号を前記映像処理装置と前記外部装置との間の伝送規格に規定された第２解像度の映像信号へ変換する機能を有し、前記第２解像度の映像信号を前記外部装置から受信する受信手段と、前記受信手段によって受信した前記第２解像度の映像信号において、前記外部装置により挿入された画素群を除くことによって、前記第２解像度の映像信号から前記第１解像度の映像信号を抽出し、前記第１解像度の映像信号に対してアップコンバート処理を施すアップコンバート手段とを具備することを特徴とする。
【手続補正３】
【補正対象書類名】明細書
【補正対象項目名】０００８
【補正方法】変更
【補正の内容】
【０００８】
本発明の他の態様に係る映像処理方法は、外部装置から入力される映像信号をアップコンバートする映像処理装置における映像処理方法であって、前記外部装置は、所定の輝度値が設定された画素群を挿入することにより、第１解像度の映像信号を前記映像処理装置と前記外部装置との間の伝送規格に規定された第２解像度の映像信号へ変換する機能を有し、前記第２解像度の映像信号を前記外部装置から受信することと、前記受信することにおいて受信した前記第２解像度の映像信号において、前記外部装置により挿入された画素群を除くことによって、前記第２解像度の映像信号から前記第１解像度の映像信号を抽出し、前記第１解像度の映像信号に対してアップコンバート処理を施すこととを具備することを特徴とする。
【手続補正４】
【補正対象書類名】明細書
【補正対象項目名】００３４
【補正方法】変更
【補正の内容】
【００３４】
まず、ＤＶＤレコーダ１１とデジタルテレビジョン受信機１２とはそれぞれ、双方の機器がアップコンバート処理の実行を制御する機能を有するかどうかを調べる（ステップＳ１０１）。ステップＳ１０１では、例えば、ＤＶＤレコーダ１１がテレビジョン受信機１２へアップコンバート処理の実行を制御する機能を有するか否かの情報を通知し、テレビジョン受信機１２がＤＶＤレコーダ１１へアップコンバート処理の実行を制御する機能を有するか否かの情報を通知することで、それぞれの機器において、双方の機器が該機能を有するかどうかを判定する。ＤＶＤレコーダ１１とデジタルテレビジョン受信機１２とが共にアップコンバート処理の実行を制御する機能を有する場合（ステップＳ１０１のＹＥＳ）、ＤＶＤレコーダ１１は、アップコンバート機能を「ＴＶ優先モード」に設定する（ステップＳ１０２）。アップコンバート機能を「ＴＶ優先モード」に設定することで、ＤＶＤレコーダ１１は、アップコンバート処理を実行せず、デジタルテレビジョン受信機１２においてアップコンバート処理を実行するための処理を以降で行う。